(57)【特許請求の範囲】
【請求項１】
送信回路の出力部に接続され、送信信号を通過させる、送信信号フィルタと、
受信回路に入力部に接続され、受信信号を通過させる、受信信号フィルタと、
前記送信信号フィルタから出力された送信信号の減衰量を制御する送信出力可変回路と、
前記送信出力可変回路から出力された送信信号をアンテナ側に出力し、アンテナで受信した受信信号を前記受信信号フィルタに出力する、アンテナ共用器と、
前記送信出力可変回路による前記送信信号の減衰量を制御する制御回路と、
前記アンテナからの反射信号の強度を検出する反射信号強度検出回路と、
前記アンテナに接続されるアンテナ整合回路と、
を備え、
前記アンテナ共用器は、サーキュレータ又はデュプレクサであり、
前記送信出力可変回路は、前記アンテナ共用器と前記送信信号フィルタとの間にあり、
前記アンテナ整合回路は、少なくとも一つの可変リアクタンス素子を含み、前記制御回路は前記可変リアクタンス素子を制御し、
前記制御回路は、前記反射信号強度検出回路により検出される反射信号強度の程度が小さい範囲では、前記減衰量を最小にした状態で前記アンテナ整合回路を制御し、前記反射信号強度検出回路により検出される反射信号強度の程度が大きい範囲で前記減衰量を大きくすることで、前記送信回路へ戻る反射信号および前記受信回路へ漏洩する反射信号を減衰させることを特徴とする、
フロントエンド回路。
【請求項２】
前記制御回路は、前記アンテナのインピーダンスを変動させる物体が一定距離より近接している場合に、前記物体が前記一定距離より近接していない場合に比較して、前記減衰量を大きくする、請求項１に記載のフロントエンド回路。
【請求項３】
前記送信回路はパワーアンプを備え、前記送信信号フィルタは前記パワーアンプの出力に接続される、請求項１または請求項２に記載のフロントエンド回路。
【請求項４】
前記送信出力可変回路は、前記送信信号をスルーさせる第１の回路と、前記送信信号を減衰させる第２の回路と、前記第１の回路と、前記第２の回路とを切り替えるスイッチと、を備え、前記スイッチの切り替えにより前記減衰量を切り替える、請求項１〜３のいずれかに記載のフロントエンド回路。
【請求項５】
前記送信出力可変回路は、前記アンテナ共用器の送信信号端子と前記送信信号フィルタとの間に接続された、請求項１〜４のいずれかに記載のフロントエンド回路。
【請求項６】
前記送信信号フィルタおよび前記受信信号フィルタは、可変リアクタンス素子を備えるチューナブルフィルタまたはスイッチと複数のフィルタとで構成されるセレクタブルフィルタである、請求項１〜５のいずれかに記載のフロントエンド回路。
【請求項７】
前記アンテナ共用器は、複数のデュプレクサであり、
前記複数のデュプレクサと前記送信出力可変回路とを切り替えるスイッチをさらに備える、請求項１〜６のいずれかに記載のフロントエンド回路。
【請求項８】
前記送信出力可変回路は、第１高周波スイッチ、第２高周波スイッチ、およびバッファ回路を含み、前記第１高周波スイッチおよび前記第２高周波スイッチの切り替えによって、前記減衰量を切り替える、請求項１〜７のいずれかに記載のフロントエンド回路。
【請求項９】
前記送信出力可変回路は、前記第１高周波スイッチと前記第２高周波スイッチとを直結する状態を採ることができる、請求項８に記載のフロントエンド回路。
【請求項１０】
前記アンテナに物体が近接する状態を検出する近接センサをさらに備え、
前記制御回路は、前記近接センサが近接状態を検出しているとき、前記減衰量を大きくする、請求項１〜９のいずれかに記載のフロントエンド回路。
【発明の詳細な説明】
【技術分野】
【０００１】
本発明は、無線通信装置等において、送信と受信とでアンテナを共用するフロントエンド回路に関する。
【背景技術】
【０００２】
デュプレクサおよびスイッチを用いて、送信と受信とでアンテナを共用するフロントエンド回路やサーキュレータを用いて送信と受信とでアンテナを共用するフロントエンド回路が従来提案されている。例えば特許文献１には、一つの共通のアンテナを用いたマルチバンド対応無線機器の構成が開示されている。この特許文献１に示されている無線機器では、アンテナ直下に接続されたスイッチによって、所定周波数バンドの送受信信号の伝送線路がアンテナに接続され、送受信が行われる。
【先行技術文献】
【特許文献】
【０００３】
【特許文献１】特開２００８−２５８７０６号公報
【発明の概要】
【発明が解決しようとする課題】
【０００４】
携帯端末等の無線機器においては、例えば人体の接近などによりアンテナのインピーダンスが変化する。これにより、アンテナ整合がとれなくなる場合がある。アンテナ整合がとれなくなると、アンテナでの送信信号の反射量が大きくなり、この反射信号がパワーアンプに戻る。これにより、パワーアンプで送信信号に歪みが発生することによる送信信号の劣化、パワーアンプの異常発振、パワーアンプの破壊等が生じるという課題があった。また、上記反射信号が受信回路側へ漏洩し、受信感度を劣化させるという課題もあった。
【０００５】
そこで、本発明の目的は、アンテナへの物体や人体の近接等によりアンテナ不整合が生じても、反射信号が送信回路側へ戻ることによる問題や、反射信号が受信回路側へ漏洩することによる問題を解消したフロントエンド回路を提供することにある。
【課題を解決するための手段】
【０００６】
本発明のフロントエンド回路は次のように構成される。
【０００７】
（１）送信信号を通過させる送信信号フィルタ、受信信号を通過させる受信信号フィルタ、およびアンテナ共用器を備え、アンテナの送受信信号が入出力されるアンテナポート、受信信号が出力される受信ポート、および送信信号が入力される送信ポートを有し、
前記アンテナ共用器の送信信号端子と前記送信ポートとの間に接続され、制御信号に応じて送信信号の強度を制限する送信出力可変回路を備えたことを特徴とする。
【０００８】
（２）前記送信出力可変回路は、前記アンテナ共用器の送信信号端子と前記送信信号フィルタとの間に接続されていることが好ましい。
【０００９】
（３）前記アンテナ共用器として例えばサーキュレータを用いれば、少ない素子数で構成でき、アンテナ共用部分でのスイッチの制御も不要となる。
【００１０】
（４）送信信号フィルタおよび受信信号フィルタは、例えば可変リアクタンス素子を備えるチューナブルフィルタまたはスイッチと複数のフィルタで構成されるセレクタブルフィルタとすることが好ましい。これにより、広帯域に亘って適用可能となる。
【００１１】
（５）また、本発明のフロントエンド回路は、次のように構成される。
【００１２】
アンテナの送受信信号が入出力されるアンテナポート、受信信号が出力される受信ポート、および送信信号が入力される送信ポートを有し、
アンテナ側スイッチ、複数のデュプレクサ、および送信側スイッチおよび受信側スイッチを備え、前記アンテナ側スイッチの共通端子はアンテナポートに接続され、前記デュプレクサの共通端子は前記アンテナ側スイッチの各個別端子に接続され、前記送信側スイッチの共通端子は前記送信ポートに接続され、前記受信側スイッチの共通端子は前記受信ポートに接続され、送信側スイッチの個別端子は前記デュプレクサの送信端子に接続され、受信側スイッチの個別端子は前記デュプレクサの受信端子に接続され、
送信側スイッチの共通端子と送信ポートとの間に接続され、制御信号に応じて送信信号の強度を制限する送信出力可変回路を備えたことを特徴とする。
【００１３】
（６）前記送信出力可変回路は、第１高周波スイッチ、第２高周波スイッチ、およびバッファ回路を含み、第１高周波スイッチおよび第２高周波スイッチの切り替えによって、送信信号端子と送信信号フィルタとの間での減衰量を切り替える構成であることが好ましい。これにより、減衰させない場合の挿入損失を低減でき、且つ減衰量の制御が容易となる。
【００１４】
（７）送信出力可変回路は、第１高周波スイッチと第２高周波スイッチとを直結する状態を採ることができることが好ましい。
【００１５】
（８）前記送信出力可変回路は、例えば近接センサがアンテナに対する物体の近接状態を検出しているとき、減衰量を大きくする。
【００１６】
（９）前記送信出力可変回路は、例えばアンテナからの反射信号の強度に応じて減衰量を制御する。
【００１７】
（１０）アンテナポートに接続されたアンテナ整合回路を備え、このアンテナ整合回路は、少なくとも一つの可変リアクタンス素子を含んでいることが好ましい。
【００１８】
（１１）前記制御回路は、アンテナ不整合の程度が小さい範囲では、送信出力可変回路の減衰量を最小にした状態で前記アンテナ整合回路を制御し、アンテナ不整合の程度が大きい範囲で送信出力可変回路の減衰量を大きくすることが好ましい。
【発明の効果】
【００１９】
本発明によれば、アンテナへの物体や人体の近接等によりアンテナ不整合が生じても、送信信号の劣化、パワーアンプの異常等、送信信号が送信回路へ戻ることによる問題や、受信感度の劣化等、送信信号の反射波が受信回路側へ漏洩することによる問題が解消されたフロントエンド回路が得られる。
【図面の簡単な説明】
【００２０】
【図１】図１は第１の実施形態に係るフロントエンド回路１０１を備える高周波回路の回路図である。
【図２】図２は、図１に示した制御回路１５の制御内容を示すフローチャートである。
【図３】図３は本発明に対する比較例としてのフロントエンド回路の回路図である。
【図４】図４は第２の実施形態に係るフロントエンド回路１０２を備える高周波回路の回路図である。
【図５】図５は、図４に示した制御回路１５の制御内容を示すフローチャートである。
【図６】図６は第３の実施形態に係るフロントエンド回路１０３を備える高周波回路の回路図である。
【図７】図７は、スイッチと複数の帯域通過フィルタとで構成された送信信号フィルタまたは受信信号フィルタの回路図である。
【図８】図８（Ａ）（Ｂ）（Ｃ）は、減衰量を調整できるようにした送信出力可変回路の回路図である。
【発明を実施するための形態】
【００２１】
以降、図を参照して幾つかの具体的な例を挙げて、本発明を実施するための複数の形態を示す。各図中には同一箇所に同一符号を付している。各実施形態は例示であり、異なる実施形態で示した構成の部分的な置換または組み合わせが可能であることは言うまでもない。
【００２２】
《第１の実施形態》
図１は第１の実施形態に係るフロントエンド回路を備える高周波回路の回路図である。図１に表れているように、フロントエンド回路１０１は、送信信号を通過させる送信信号フィルタ１１、受信信号を通過させる受信信号フィルタ１２、およびアンテナ共用器としてのサーキュレータ１３を備えている。送信信号フィルタ１１は送信信号の周波数帯域を通過させる可変帯域通過フィルタ（Tunable Filter）である。同様に、受信信号フィルタ１２は受信信号の周波数帯域を通過させる可変帯域通過フィルタ（Tunable Filter）である。例えばディジタルチューニングキャパシタ（DTC）等の可変容量素子を備え、外部から入力される制御信号によって通過帯域が変化する。制御回路１５は通信周波数帯域に応じて送信信号フィルタ１１および受信信号フィルタ１２に対して制御信号を与える。
【００２３】
また、フロントエンド回路１０１には、アンテナの送受信信号が入出力されるアンテナポートPant、受信信号が出力される受信ポートPrx、および送信信号が入力される送信ポートPtxを備えている。アンテナポートPantにはアンテナ３０が接続され、送信ポートPtxにはパワーアンプ３１が接続され、受信ポートPrxにはLNA３２が接続される。
【００２４】
サーキュレータ１３の送信信号端子１３ａと送信信号フィルタ１１との間には送信出力可変回路２０が接続されている。
【００２５】
送信出力可変回路２０は、第１高周波スイッチ（以下、単に「第１スイッチ」）２１、第２高周波スイッチ（以下、単に「第２スイッチ」）２２、およびバッファ回路２３を含み、第１スイッチ２１および第２スイッチ２２の切り替えによって、サーキュレータ１３の送信信号端子１３ａと送信信号フィルタ１１との間でのインピーダンス整合を保ちつつ減衰量を切り替える。送信出力可変回路２０は、第１スイッチ２１の共通端子Cと第１個別端子T1とが導通し、且つ第２スイッチ２２の共通端子Cと第１個別端子T1とが導通する第１の状態と、第１スイッチ２１の共通端子Cと第２個別端子T2とが導通し、且つ第２スイッチ２２の共通端子Cと第２個別端子T2とが導通する第２の状態とがある。第１の状態で、第１スイッチと第２スイッチとが直結するので、減衰量は実質的に略０である。第２の状態では、第１スイッチと第２スイッチとの間にバッファ回路２３が挿入されて、バッファ回路２３により送信電力が制限される。
【００２６】
フロントエンド回路１０１のアンテナポートPantにはアンテナ整合回路（antenna tuning circuit）１４が接続されている。このアンテナ整合回路１４は単一または複数のリアクタンス素子を有し、少なくとも１つのリアクタンス素子は制御信号によって値が変化する可変リアクタンス素子で構成されている。または、値の異なる複数のリアクタンス素子とそれらのうち所定のリアクタンス素子を選択するスイッチ素子とで構成されている。
【００２７】
近接センサ１６はアンテナ３０に人体の頭部や金属机等の物体が近接している状態であるか否かを検出するセンサであり、例えば赤外光の反射有無または容量値の変化を検出する。
【００２８】
制御回路１５は近接センサ１６の検出結果に基づき送信出力可変回路２０を制御する。後に示すように、アンテナ３０での反射信号が大きくなる条件では送信出力可変回路２０の減衰量を大きくする。
【００２９】
アンテナ整合回路１４はアンテナ３０のインピーダンスに適宜整合させるための可変整合回路である。アンテナ３０は周波数に応じてインピーダンスが変化するが、制御回路１５は、アンテナのインピーダンスの変化に応じて（アンテナのインピーダンスを間接的に検知する情報を基に）アンテナ整合回路１４を制御することでアンテナ整合を図る。
【００３０】
図２は、図１に示した制御回路１５の制御内容を示すフローチャートである。制御回路１５は、先ず通信すべき周波数帯域に応じてアンテナ整合回路１４を制御する。すなわち、使用する周波数帯に応じて変化するアンテナのインピーダンスに整合するように、アンテナ整合回路１４を制御する。そして、近接センサ１６の検出結果を読み取り、アンテナ３０のインピーダンス変動の原因となる物体がある一定の距離よりも近接しているとき、送信出力可変回路２０の第１スイッチ２１および第２スイッチ２２が端子T2側を選択するように制御して、送信出力可変回路２０の減衰量を大きくする。
【００３１】
上記送信出力可変回路２０による減衰量は、送信信号の反射波が送信回路側へ戻ることによる送信信号の劣化や、パワーアンプの異常等を解消し得る減衰量、または送信信号の反射波が受信回路側へ漏洩することによる受信感度の劣化等を解消し得る減衰量である。例えば、送信電力を-6dB減衰させる。
【００３２】
本実施形態によれば、アンテナ整合回路１４を備えたので、このアンテナ整合回路１４でアンテナ整合が確保できる条件では、送信出力可変回路２０をスルー状態にできる。そのため、送信出力可変回路２０での減衰量を不必要に大きくすることがない。
【００３３】
図３は本発明に対する比較例としてのフロントエンド回路の回路図である。例えばアンテナ３０に掌や指が近接すると、アンテナのインピーダンスが規定値からずれて、アンテナ整合が外れる。アンテナ整合が外れると、アンテナ３０での反射信号は、サーキュレータ１３を経由し、受信フィルタ１２で反射し、サーキュレータ１３を経由して送信信号フィルタ１１を通過し、パワーアンプ３１へ入射される。これに対し、図１に示したフロントエンド回路１０１によれば、制御回路１５が近接センサ１６の出力により、アンテナ３０に対する物体の近接状態を検知すれば、送信出力可変回路２０の減衰量を大きくするので、送信電力が制限される。そのため、アンテナ３０に対して物体が近接することで、アンテナのインピーダンスが規定値から大きくずれて、アンテナ３０で送信信号が反射しても、その反射電力は抑制される。その結果、パワーアンプ３１へ反射信号が入射することによる送信信号の特性（例えばエラー・ベクトル振幅（EVM）等の信号品質）の劣化やパワーアンプの消費電流の増大・異常発熱等が防止できる。また、このように、アンテナ共用器としてサーキュレータを用いるにも拘わらず、送信信号の反射信号が受信回路へ漏洩され難くなり、受信回路側へ送信信号が漏洩することによる受信感度の低下も防止できる。
【００３４】
また、本実施形態によれば、送信出力可変回路２０をサーキュレータ１３と送信信号フィルタ１１との間に挿入したので、送信信号フィルタに戻る反射波に対しても更に減衰させることができる。アンテナ整合が外れた場合、送信信号フィルタ１１には、送信波とその反射波（送信波とは位相が異なる信号）との加算信号が印加されるが、上記反射波の強度が低くなることで上記加算により生じる歪みが抑制される。また、送信信号フィルタ１１が可変容量素子やスイッチを含む場合に、可変容量素子やスイッチによる高調波歪みの発生が抑制される。
【００３５】
図１に示した例では、送信出力可変回路２０をサーキュレータ１３と送信信号フィルタ１１との間に挿入したが、送信出力可変回路２０を送信信号フィルタ１１と送信ポートPtxとの間に挿入してもよい。この場合でも、パワーアンプ３１へ反射信号が入射することによる送信信号の特性（例えばエラー・ベクトル振幅（EVM）等の信号品質）の劣化やパワーアンプの消費電流の増大・異常発熱等が防止できる。また、このように、アンテナ共用器としてサーキュレータを用いるにも拘わらず、送信信号の反射信号が受信回路へ漏洩され難くなり、受信回路側へ送信信号が漏洩することによる受信感度の低下も防止できる。
【００３６】
なお、近接センサ１６を複数設けることで、アンテナ３０の周囲状況を検知するようにしてもよい。例えば、本発明のフロントエンド回路を備える携帯端末が頭部に近接して通話中であるのか、掌握状態で操作中であるのか、机に置かれた待ち受け状態であるのか、といった各種状態を検知することができる。これら状態に応じて上記送信出力可変回路２０の減衰量を定めるようにしてもよい。
【００３７】
《第２の実施形態》
図４は第２の実施形態に係るフロントエンド回路１０２を備える高周波回路の回路図である。図２に表れているように、アンテナ３０からの反射信号の強度を検出する反射信号強度検出回路１７を備えている。この反射信号強度検出回路１７は、例えば双方向性結合器および位相振幅検知回路によって構成される。双方向性結合器は送信信号と反射信号とを分離して個別に出力する。位相振幅検知回路は、送信信号と反射信号との振幅差および位相差をそれぞれ検知する。制御回路１５は送信信号と反射信号との振幅差および位相差に基づき、適正なアンテナ整合が得られるようにアンテナ整合回路１４を調整する。また、制御回路１５は、上記送信信号と反射信号との振幅差に基づき、反射信号強度を求め、この反射信号強度に応じて送信出力可変回路２０の減衰量を制御する。その他の構成は第１の実施形態で示したものと同じである。
【００３８】
本実施形態の構成に示すように、反射信号強度検出回路１７をアンテナ整合回路１４とサーキュレータ１３との間に（サーキュレータ１３よりアンテナ側に）接続することで、アンテナ３０で反射した反射信号の強度を精度良く検知できる。
【００３９】
図５は、図４に示した制御回路１５の制御内容を示すフローチャートである。制御回路１５は、先ず、反射信号強度検出回路１７による検出信号で求めた、例えばVSWRに応じて、アンテナ整合のずれを検知する。反射信号強度に応じて（アンテナ整合のずれの大きさに応じて）、アンテナ整合回路１４を制御する。すなわち、アンテナ整合のずれが少なくなるようにインピーダンス整合の調整を行う。例えば、上記VSWRと制御電圧との関係を予めテーブルに定めておき、そのテーブルを参照して、該当の制御電圧をアンテナ整合回路１４へ出力する。また、上記VSWRが所定の閾値Rthを超えるとき（アンテナ整合回路１４の制御だけでは調整しきれない状態となれば）、送信出力可変回路２０の第１スイッチ２１および第２スイッチ２２が端子T2側を選択するように制御して、送信出力可変回路２０の減衰量を大きくする。
【００４０】
《第３の実施形態》
図６は第３の実施形態に係るフロントエンド回路１０３を備える高周波回路の回路図である。フロントエンド回路１０３は、アンテナの送受信信号が入出力されるアンテナポートPant、受信信号が出力される受信ポートPrx、および送信信号が入力される送信ポートPtxを備えている。アンテナポートPantにはアンテナ３０が接続され、送信ポートPtxにはパワーアンプ３１が接続され、受信ポートPrxにはLNA３２が接続される。
【００４１】
フロントエンド回路１０３のアンテナポートPantにはアンテナ整合回路１４が接続されている。また、送信ポートPtxには送信出力可変回路２０が接続されている。
【００４２】
また、フロントエンド回路１０３は、アンテナ側スイッチ２４、デュプレクサ２７，２８、および送信側スイッチ２５および受信側スイッチ２６を備えている。アンテナ側スイッチ２４の共通端子はアンテナ整合回路１４に接続（すなわちアンテナ側に接続）されている。デュプレクサ２７，２８の共通端子はアンテナ側スイッチ２４の各個別端子に接続されている。送信側スイッチ２５の共通端子は送信出力可変回路２０に接続（すなわち送信ポート側に接続）されている。受信側スイッチ２６の共通端子は受信ポートPrx側に接続されている。送信側スイッチ２５の個別端子はデュプレクサ２７，２８の送信端子に接続されていて、受信側スイッチ２６の個別端子はデュプレクサ２７，２８の受信端子に接続されている。
【００４３】
制御回路１５は、送信出力可変回路２０、アンテナ側スイッチ２４、送信側スイッチ２５および受信側スイッチ２６を制御する。
【００４４】
図６において、デュプレクサ２７と２８は通信帯域に応じて予め設けられている。そして、アンテナ側スイッチ２４、送信側スイッチ２５および受信側スイッチ２６は、デュプレクサ２７，２８のうちいずれを使用するかを切り替える。アンテナ側スイッチ２４、送信側スイッチ２５および受信側スイッチ２６がそれぞれ端子T1側を選択しているとき、送信ポートPtxに入力される送信信号は、送信出力可変回路２０およびデュプレクサ２８の送信信号フィルタを経由し、アンテナ整合回路１４を介してアンテナ３０へ給電される。アンテナ３０からの受信信号はアンテナ整合回路１４およびデュプレクサ２８の受信信号フィルタを経由してLNA３２へ入力される。
【００４５】
制御回路１５は、例えば第１の実施形態で示した近接センサの検出結果に基づき、または第２の実施形態で示した反射信号強度検出回路の検出結果に基づき、アンテナ整合がずれている状態であるとき、送信出力可変回路２０の減衰量を大きくする。
【００４６】
このように、スイッチとデュプレクサによってアンテナ共用回路が構成された回路にも適用できる。
【００４７】
《他の実施形態》
以上に示した各実施形態では、送信信号フィルタ１１および受信信号フィルタ１２を共に可変帯域通過フィルタで構成した例を示したが、送信信号フィルタおよび受信信号フィルタは、例えば図７に示すように、スイッチと複数の帯域通過フィルタとでセレクタブルフィルタを構成してもよい。図７に示す例で、帯域通過フィルタ４３ａ，４３ｂ・・・４３ｎは通過帯域がそれぞれ異なり、スイッチ４１，４２の選択によって通過帯域を切り替える。
【００４８】
以上に示した各実施形態では、送信出力可変回路２０はSPDTスイッチを備え、バッファ回路２３を通過させるか直結（スルー）させるかを切り替える例を示したが、バッファ回路による減衰量は可変であってもよい。例えば図８（Ａ）に示すように減衰量の異なる複数のバッファ回路２３ａ，２３ｂを備え、それらを選択できるようにした回路であってもよい。また、図８（Ｂ）や図８（Ｃ）に示すように、減衰量を制御電圧で調整できる可変バッファ回路を用いてもよい。このような減衰量可変の送信出力可変回路を用いれば、送信信号のアンテナでの反射強度に応じた適切な減衰量を定めることができる。
【００４９】
なお、以上に示した各実施形態では、送信出力可変回路２０がＴ型のバッファ回路２３を備える例を示したが、π型のバッファ回路等、その他の回路構成であってもよい。
【符号の説明】
【００５０】
C…共通端子
Pant…アンテナポート
Prx…受信ポート
Ptx…送信ポート
T1…第１個別端子
T2…第２個別端子
１１…送信信号フィルタ
１２…受信信号フィルタ
１３…サーキュレータ
１３ａ…送信信号端子
１４…アンテナ整合回路
１５…制御回路
１６…近接センサ
１７…反射信号強度検出回路
２０…送信出力可変回路
２１…第１高周波スイッチ
２２…第２高周波スイッチ
２３，２３ａ，２３ｂ…バッファ回路
２４…アンテナ側スイッチ
２５…送信側スイッチ
２６…受信側スイッチ
２７，２８…デュプレクサ
３０…アンテナ
３１…パワーアンプ
４１，４２…スイッチ
４３ａ，４３ｂ…帯域通過フィルタ
１０１〜１０３…フロントエンド回路
【図１】
0005949753.tif 000002
【図２】
0005949753.tif 000003
【図３】
0005949753.tif 000004
【図４】
0005949753.tif 000005
【図５】
0005949753.tif 000006
【図６】
0005949753.tif 000007
【図７】
0005949753.tif 000008
【図８】
0005949753.tif 000009